(57)【要約】【課題】老人が集まって運動し易く、また会話もし易い健康器具付きベンチを提供する。【解決手段】本発明の健康器具付きベンチは、数人が向かい合って座れる一体型のベンチ１０の背もたれ１２の外側に、ベンチ１０の背もたれ１２に掴まって運動することができる公園用健康器具１６を配置したものである。背もたれ１２に手摺り１５を設けることがこのましい。運動しながら、ベンチ１０に座っている人と話をすることができる。【選択図】図１
2020141880.tif 000002
【特許請求の範囲】
【請求項１】
数人が向かい合って座れる一体型のベンチの背もたれの外側に、ベンチの背もたれに掴まって運動することができる公園用健康器具を配置したことを特徴とする健康器具付きベンチ。
【請求項２】
ベンチが円形または角型のベンチである請求項１に記載の健康器具付きベンチ。
【請求項３】
ベンチの背もたれに手摺りを設けた請求項１または２に記載の健康器具付きベンチ。
【請求項４】
ベンチが水色に着色されている請求項１〜３の何れかに記載の健康器具付きベンチ。
【請求項５】
公園用健康器具が昇降運動用のステップであり、ベンチの背もたれの外側に複数個が配置されている請求項１〜４の何れかに記載の健康器具付きベンチ。
【発明の詳細な説明】
【技術分野】
【０００１】
本発明は、公園などの屋外に設置するに適した健康器具付きベンチに関するものである。
【背景技術】
【０００２】
現在、日本は世界で最も寿命が長い国として注目される一方で、超高齢社会という重たい問題を抱えている。超高齢社会の中でも認知症が特に問題視されている。この認知症の予防法として、軽い運動や人と会話をすることが有効であるとされている。
【０００３】
このため特許文献１に示されるように、高齢者に配慮した公園も提案されており、子供用のブランコや滑り台などのほか、直進歩行運動設備、スロープ歩行運動設備、階段歩行運動設備などを配置して、子供だけではなく障碍者や高齢者も体を動かせるようになっている。
【０００４】
しかし特許文献１に記載された公園は、子供用の遊具、花壇、運動設備、休憩所などがそれぞれ明確に分離されて配置されている。このため運動する人と、運動できずベンチに座っている人との間でお喋りをする機会は少なく、運動する人は黙々と運動し、ベンチに座っている人も黙って座っていることが多かった。
【０００５】
なお、国が定めた安全基準では、単独の健康設備から１．５ｍ〜１．８ｍにはベンチを置いてはいけないこととなっているため、運動設備と休憩用のベンチとは分離されているのが一般的である。
【先行技術文献】
【特許文献】
【０００６】
【特許文献１】特開２００３−３２５６０２号公報
【発明の概要】
【発明が解決しようとする課題】
【０００７】
従って本発明の目的は上記した従来の問題点を解決し、老人が集まって運動し易く、また会話もし易い健康器具付きベンチを提供することである。
【課題を解決するための手段】
【０００８】
上記の課題を解決するためになされた本発明の健康器具付きベンチは、数人が向かい合って座れる一体型のベンチの背もたれの外側に、ベンチの背もたれに掴まって運動することができる公園用健康器具を配置したことを特徴とするものである。
【０００９】
なお請求項２のように、ベンチが円形または角型のベンチであることが好ましい。また請求項３のように、ベンチの背もたれに手摺りを設けることが好ましい。また請求項４のように、ベンチが水色に着色されていることが好ましく、請求項５のように、公園用健康器具が昇降運動用のステップであり、ベンチの背もたれの外側に複数個が配置されていることが好ましい。
【発明の効果】
【００１０】
本発明の健康器具付きベンチは、数人が向かい合って座れる一体型のベンチであるから、通常の横長のベンチとは異なり、座った人どうしの会話が行い易いる利点がある。またベンチの背もたれの外側に、ベンチの背もたれに掴まって運動することができる公園用健康器具を配置したので、ベンチに座っている人と話をしながら、運動をすることができる。このように会話と運動という認知症の予防に効果的な動作を、自然に行わせることができる。
【００１１】
本発明の健康器具付きベンチは単独の健康設備と単独のベンチではなく一体化された設備であるから、健康設備から１．５ｍ〜１．８ｍにはベンチを置いてはいけないという安全規則から外れることはない。
【００１２】
なお、ベンチが円形または角型のベンチであると、見知らぬ人どうしであっても、顔を合わせて座りやすくなる。またカラーセラピーの観点では、水色は気分を落ち着かせたり、開放感を与える色であるため、ベンチを水色にしておくことが好ましい。
【図面の簡単な説明】
【００１３】
【図１】本発明の実施形態の健康器具付きベンチの使用状態を示す斜視図である。
【図２】本発明の実施形態の健康器具付きベンチの正面図である。
【図３】その平面図である。
【図４】その側面図である。
【発明を実施するための形態】
【００１４】
以下に本発明の好ましい実施形態を説明する。図１は本発明の実施形態の健康器具付きベンチの使用状態を示す斜視図、図２は正面図、図３は平面図、図４は側面図である。
【００１５】
これらの図において、１０は座面１１と背もたれ１２を備えた一体型のベンチである。この実施形態ではベンチ１０は樹脂製であるが、その材質は特に限定されるものではなく、木材製であってもコンクリート製であっても差し支えない。
【００１６】
実施形態のベンチ１０は通常の横長の構造ではなく、略半円状あるいはＵ字状となっており、数人が向かい合って座れるようになっている。このため座面１１に座れば、見知らぬ人どうしであっても自然に顔を合わせることとなり、会話が行い易い利点がある。また知り合いの人どうしであれば、井戸端会議の会話が弾みやすい利点がある。ベンチ１０に座れる人数は３人から１０人程度が好ましいが、設置される環境に応じて適宜大きさを決定すればよい。
【００１７】
ベンチ１０の背もたれ１２の外側の地面には、公園用健康器具１６が配置されている。本明細書において公園用健康器具１６は、屋外に設置できる固定型の健康器具を意味するものである。この公園用健康器具１６は、ベンチ１０の背もたれ１２に掴まって運動することができるものである。運動する人は背もたれ１２に直接掴まってもよいが、この実施形態ではより掴まり易いように、背もたれ１２の外側に、手摺り１３が連続的に設けられている。この手摺り１３は金属パイプとし、短い支持具１４によって背もたれ１２の外面から一定位置にぐらつかないように取り付けられている。なお手摺り１３の端部は、ベンチ１０に座る人に安全なように、キャップ金具１５で保護しておくことが望ましい。
【００１８】
公園用健康器具１６の種類は特に限定されるものではないが、この実施形態では昇降運動用のステップであり、ベンチ１０の背もたれ１２の外側の地面に複数個が配置されている。これらのステップは高さの異なるものを組み合わせ、体力に応じて昇降したり、背もたれ１２の外周に沿って歩きながら昇降運動をすることもできる。図３の平面図に示すように、ステップはほぼ一定間隔で分散配置されているので、同時に複数人が運動することができる。しかし公園用健康器具１６としては昇降運動用のステップのほかにも、ストレッチ運動用の器具、スクワット運動用の器具など様々なものを適宜配置してもよい。
【００１９】
この運動は背もたれ１２の方向を向いて行うので、ベンチ１０の座面１１に座っている人の方を向くこととなる。このため運動中も座っている人と会話をすることができ、会話と運動という認知症の予防に効果的な動作を、自然に行わせることができる利点がある。
【００２０】
この実施形態では、ベンチ１０は水色に着色されている。近年注目されているカラーセラピーの観点では、水色は気分を落ち着かせたり、開放感を与える色である。これに対して赤色は血圧や心拍数を上げて体温を上昇させる効果があり、黄色は楽しく華やかな気分にしてくれる効果がある。このため公園用健康器具１６のステップは赤色と黄色にして、運動に適した色彩としている。ただしこれらの色彩は設置環境や利用者によって適宜変更してもよく、これらの色彩に限定されるものではない。
【００２１】
このように構成された本発明の健康器具付きベンチは、図１に示したように、ベンチ１０の座面１１に座って会話を楽しむことができるとともに、背もたれ１２の外側に配置された公園用健康器具１６を利用し、ベンチに座っている人と話をしながら、運動をすることができる。この運動中の人が万一転倒したとしても、背もたれ１２で仕切られているので、座っている人に危険が及ぶことはない。
【００２２】
以上に説明したように、本発明の健康器具付きベンチは公園などに設置しておくだけで、老人が集まって運動する機会や会話を楽しむ機会を提供する効果があり、認知症の予防に効果があるものと考えられる。なお、ベンチの上方に日除けや屋根を設けておけば、利用できる機会が更に増えることとなる。
【符号の説明】
【００２３】
１０  ベンチ
１１  座面
１２  背もたれ
１３  手摺り
１４  支持具
１５  キャップ金具
１６  公園用健康器具
【図１】
2020141880.tif 000003
【図２】
2020141880.tif 000004
【図３】
2020141880.tif 000005
【図４】
2020141880.tif 000006